(57)【要約】      （修正有）【課題】安価で静電気の発生のおそれを低減することができる卓球ボール包装箱用緩衝材を提供する。【解決手段】卓球ボール包装箱用緩衝材２１は、薄板状のベース部２３と、一対の長辺側ガイド部２４ａ、２４ｂと、一対の短辺側ガイド部２５ａ、２５ｂとを備える。ベース部は、卓球ボールを保持する開孔２２が複数設けられており、矩形状である。一対の長辺側ガイド部は、ベース部の一対の長辺に連なって設けられており、ベース部の厚み方向に沿って延びており、包装箱内においてベース部をガイドする。一対の短辺側ガイド部は、ベース部の一対の短辺に連なって設けられており、ベース部の厚み方向に沿って延びており、包装箱内においてベース部をガイドする。卓球ボールとベース部との接触面積が小さいので摩擦による静電気の発生が抑えられる。【選択図】図４
0003204033.tif 000002
【実用新案登録請求の範囲】
【請求項１】
卓球ボールを包装する包装箱の内部に配置されて使用され、厚紙で形成される卓球ボール包装箱用緩衝材であって、
薄板状であって、卓球ボールを保持する開孔が複数設けられた矩形状のベース部と、
前記ベース部の一対の長辺に連なって設けられており、前記ベース部の厚み方向に沿って延びており、前記包装箱内において前記ベース部をガイドする一対の長辺側ガイド部と、
前記ベース部の一対の短辺に連なって設けられており、前記ベース部の厚み方向に沿って延びており、前記包装箱内において前記ベース部をガイドする一対の短辺側ガイド部と、を備える、卓球ボール包装箱用緩衝材。
【請求項２】
一枚の前記厚紙の部材を折り曲げて形成される、請求項１に記載の卓球ボール包装箱用緩衝材。
【請求項３】
前記厚紙は、板紙、ミルクカートン用紙、画用紙、ケント紙、および段ボールのうちの少なくともいずれか一つを含む、請求項１または２に記載の卓球ボール包装箱用緩衝材。
【請求項４】
前記厚紙は、コートボール紙またはコートアイボリー紙である、請求項１〜３のいずれか１項に記載の卓球ボール包装箱用緩衝材。
【請求項５】
前記厚紙の厚みは、０．６５ｍｍ以上０．８０ｍｍ以下である、請求項１〜４のいずれか１項に記載の卓球ボール包装箱用緩衝材。
【請求項６】
前記開孔の直径は、３６ｍｍ以上３８ｍｍ以下である、請求項１〜５のいずれか１項に記載の卓球ボール包装箱用緩衝材。
【請求項７】
隣り合う一対の前記長辺側ガイド部と一対の前記短辺側ガイド部との間には、それぞれ隙間が設けられている、請求項１〜６のいずれか１項に記載の卓球ボール包装箱用緩衝材。
【請求項８】
請求項１〜７のいずれか１項に記載の卓球ボール包装箱用緩衝材と、
前記卓球ボール包装箱用緩衝材をその内部に配置する内側部材と、
前記内側部材を覆う外側部材と、を備える、卓球ボール包装箱。
【考案の詳細な説明】
【技術分野】
【０００１】
本考案は、卓球ボールを包装する卓球ボール包装箱（以下、単に「包装箱」という場合がある。）、および卓球ボール包装箱の内方側に配置されて卓球ボールを保持する卓球ボール包装箱用緩衝材（以下、単に「緩衝材」という場合がある。）に関するものである。
【背景技術】
【０００２】
卓球を行う際に用いられる卓球ボールは、複数個がまとめて包装箱に包装されて、輸送、運搬される。包装箱内において、卓球ボールは、互いが衝突しあったり擦れあったりしないように、緩衝材によって包装箱内において保持される。緩衝材は、いわゆるクッションとしての機能も有し、輸送時における卓球ボールの損傷を防いでいる。卓球等のスポーツに用いられるボールを内蔵することができる携帯二つ折り開閉型ペットボトルが、特開２０１０−２６５０２８号公報（特許文献１）に開示されている。
【先行技術文献】
【特許文献】
【０００３】
【特許文献１】特開２０１０−２６５０２８号公報
【考案の概要】
【考案が解決しようとする課題】
【０００４】
従来においては、包装箱内に配置され、卓球ボールを保持する緩衝材については、発泡スチロール製の緩衝材が用いられていた。この緩衝材は、卓球ボールの球面に沿った凹部が複数設けられているものであった。そして、この凹部に卓球ボールを載置して包装箱内で保持することとしていた。
【０００５】
しかし、このような構成の発泡スチロール製の緩衝材を用いると、輸送中に比較的大きな面積で卓球ボールと緩衝材とが擦れあうこととなる。そうすると、卓球ボールと緩衝材との間で静電気が発生し、この静電気が緩衝材に蓄積されてしまうこととなる。特に、卓球ボールが従来のセルロイド製からプラスチック製に変更されてからは、この傾向が顕著である。このような状況は、緩衝材に求められる特性として、好ましくない。また、コストの面からもできるだけコストダウンを図ることが望まれる。
【０００６】
この考案の目的は、安価で静電気の発生のおそれを低減することができる卓球ボール包装箱用緩衝材を提供することである。
【０００７】
この考案の他の目的は、より安定して確実に卓球ボールを包装することができる卓球ボール包装箱を提供することである。
【課題を解決するための手段】
【０００８】
この考案の一の局面においては、卓球ボール包装箱用緩衝材は、卓球ボールを包装する包装箱の内部に配置されて使用され、厚紙で形成される。卓球ボール包装箱用緩衝材は、薄板状のベース部と、一対の長辺側ガイド部と、一対の短辺側ガイド部とを備える。ベース部は、卓球ボールを保持する開孔が複数設けられており、矩形状である。一対の長辺側ガイド部は、ベース部の一対の長辺に連なって設けられており、ベース部の厚み方向に沿って延びており、包装箱内においてベース部をガイドする。一対の短辺側ガイド部は、ベース部の一対の短辺に連なって設けられており、ベース部の厚み方向に沿って延びており、包装箱内においてベース部をガイドする。
【０００９】
このような構成の卓球ボール包装箱用緩衝材は、開孔を設けた薄板状のベース部を備える構成であるため、卓球ボールを開孔に保持させた際に卓球ボールとベース部との接触面積を小さくして、卓球ボールとベース部と間の輸送時における摩擦を低減することができる。そうすると、静電気を発生させるおそれを大きく低減することができる。この場合、ベース部は薄板状であり、厚紙で形成されているため、適度に撓んで、緩衝材としての機能を発揮することができる。また、一対の長辺側ガイド部材と一対の短辺側ガイド部材によって、卓球ボール包装箱の内部において、卓球ボール包装箱用緩衝材の位置を適切に維持することができる。そうすると、開孔に安定して卓球ボールを保持することができる。さらに、このような構成の卓球ボール包装箱用緩衝材は、安価に製造することができる。したがって、このような構成の卓球ボール包装箱用緩衝材は、安価で静電気の発生のおそれを低減することができる。
【００１０】
卓球ボール包装箱用緩衝材は、一枚の厚紙の部材を折り曲げて形成される。このように構成することにより、より容易に、卓球ボール包装箱用緩衝材を製造することができる。
【００１１】
また、厚紙は、板紙、およびケント紙のうちの少なくともいずれか一つを含むことが好ましい。このように構成することにより、確実に、上記した機能を備える卓球ボール包装箱用緩衝材を製造することができる。
【００１２】
ここで、厚紙は、コートボール紙であることが好ましい。このような構成によれば、適度な強度を維持しつつ、取り扱い性を向上させて、より確実に緩衝材としての機能を発揮することができる。
【００１３】
また、厚紙の厚みは、０．６５ｍｍ（ミリメートル）以上０．８０ｍｍ以下であることが好ましい。このような構成によれば、より確実に緩衝材としての機能を発揮することができる。
【００１４】
また、開孔の直径は、３６ｍｍ以上３８ｍｍ以下であることが好ましい。このような構成によれば、より安定して、開孔に卓球ボールを保持することができる。
【００１５】
なお、隣り合う一対の長辺側ガイド部と一対の短辺側ガイド部との間には、それぞれ隙間が設けられていることが好ましい。このような構成によれば、一対の長辺側ガイド部と一対の短辺側ガイド部との干渉を防止することができる。
【００１６】
この考案の他の局面においては、卓球ボール包装箱は、上記した構成の卓球ボール包装箱用緩衝材と、卓球ボール包装箱用緩衝材をその内部に配置する内側部材と、内側部材を覆う外側部材とを備える。
【００１７】
このような構成の卓球ボール包装箱によれば、より確実に安定して卓球ボールを包装することができる。
【考案の効果】
【００１８】
このような構成の卓球ボール包装箱用緩衝材によれば、安価で静電気の発生のおそれを低減することができる。
【００１９】
また、このような構成の卓球ボール包装箱によれば、より安定して確実に卓球ボールを包装することができる。
【図面の簡単な説明】
【００２０】
【図１】この考案の一実施形態に係る卓球ボール包装箱の構成を示す斜視図である。
【図２】図１に示す包装箱のうち、外側部材を取り除いた状態を示す斜視図である。
【図３】図２に示す状態において、卓球ボールを配置した状態を示す斜視図である。
【図４】この考案の一実施形態に係る卓球ボール包装箱用緩衝材を示す斜視図である。
【図５】図４に示す緩衝材を図４中の矢印Ｄ１で示す上面側から見た図である。
【図６】図４に示す緩衝材を図４中の矢印Ｄ２で示す正面側から見た図である。
【図７】図４に示す緩衝材を図４中の矢印Ｄ３で示す左側面側から見た図である。
【図８】所定の外形形状に打ち抜かれた緩衝材構成部材の外形形状を示す図であり、図４における矢印Ｄ１の方向から見た図である。
【図９】所定の外形形状に打ち抜かれた緩衝材構成部材の外形形状を示す図であり、図４における矢印Ｄ１と逆の方向から見た図である。
【考案を実施するための形態】
【００２１】
以下、図面に基づいて本考案の一実施の形態を説明する。図１は、この考案の一実施形態に係る卓球ボール包装箱１１の構成を示す斜視図である。図２は、図１に示す包装箱１１のうち、後述する外側部材１２を取り除いた状態を示す斜視図である。図３は、図２に示す状態において、卓球ボール１９を配置した状態を示す斜視図である。なお、図３においては、卓球ボール１９を６個図示している。
【００２２】
図１〜図３を参照して、この考案の一実施形態に係る卓球ボール包装箱１１は、外側部材１２と、内側部材１３と、卓球ボール包装箱用緩衝材２１とを備える。内側部材１３は、いわゆる天面が開放された箱状の部材である。すなわち、内側部材１３は、矩形状の底板部１４と、底板部１４の四辺からそれぞれ底板部１４の厚み方向に延びる四つの側壁部１５ａ、１５ｂ、１５ｃ、１５ｄとを備える構成である。天面側から緩衝材２１が内側部材１３の内方側に収容され、配置される。
【００２３】
外側部材１２は、四角筒状であって、内側部材１３の外形形状に沿う形状である。外側部材１２を構成する天面部１６ａは、包装箱１１のいわゆる天面側に位置し、外側部材１２を構成する底面部１６ｂは、包装箱１１のいわゆる地面側に位置することとなる。また、外側部材１２を構成する一対の側面部１７ａ、１７ｂは、包装箱１１のいわゆる側面側にそれぞれ位置することとなる。なお、外側部材１２の外表面には、卓球ボール１９のメーカーや個数等が印刷され、表示される。
【００２４】
すなわち、包装箱１１は、緩衝材２１と、緩衝材２１をその内部に配置する内側部材１３と、内側部材１３を覆う外側部材１２とを備える構成である。そして、包装箱１１による卓球ボール１９の包装は、以下の通りである。すなわち、内側部材１３の内方側に緩衝材２１を配置する。そして、後述する開孔２２に卓球ボール１９を保持させた後、内側部材１３を覆うようにして外側部材１２を一方の短辺側に位置する側壁部１５ｃ側から他方の短辺側に位置する側壁部１５ａ側に至るまで外側部材１２をスライドさせる。このようにして、包装箱１１による卓球ボール１９の包装が行われる。
【００２５】
次に、この考案の一実施形態に係る卓球ボール包装箱用緩衝材２１の構成について説明する。図４は、この考案の一実施形態に係る卓球ボール包装箱用緩衝材２１を示す斜視図である。図５は、図４に示す緩衝材２１を図４中の矢印Ｄ１で示す上面側から見た図である。図６は、図４に示す緩衝材２１を図４中の矢印Ｄ２で示す正面側から見た図である。図７は、図４に示す緩衝材２１を図４中の矢印Ｄ３で示す左側面側から見た図である。
【００２６】
図４〜図７を参照して、緩衝材２１は、卓球ボール１９を包装する包装箱１１の内部に配置されて使用される。緩衝材２１は、厚紙で形成される。具体的には、緩衝材２１は、コートボール紙で形成される。
【００２７】
緩衝材２１は、緩衝材２１は、矩形状のベース部２３を備える。すなわち、ベース部２３は、一対の長辺２４ａ、２４ｂと一対の短辺２５ａ、２５ｂとを有する構成である。ベース部２３は、薄板状であり、その厚みは、０．７０ｍｍである。また、一対の長辺２４ａ、２４ｂ間の間隔、すなわち、ベース部２３の矢印Ｄ２で示す縦方向の長さＬ１は、１２４ｍｍである。一対の短辺２５ａ、２５ｂの間隔、すなわち、ベース部２３の矢印Ｄ３で示す横方向の長さＬ２は、１６５ｍｍである。
【００２８】
ベース部２３には、卓球ボール１９を保持する開孔２２が複数設けられている。具体的には、開孔２２は、矢印Ｄ２で示す縦方向に三列、矢印Ｄ３で示す横方向に四列の合計１２個設けられている。
【００２９】
開孔２２は、それぞれ丸孔状であって、ベース部２３を厚み方向に貫通するようにして設けられている。図５中の長さＬ３で示す開孔２２の直径は、３７ｍｍである。なお、卓球ボール１９の直径は、４０ｍｍであるため、開孔２２に卓球ボール１９を保持させた際のベース部２３の上面２６ａから卓球ボール１９が突出する長さは、２９ｍｍ程度である。この時、卓球ボール１９は、ベース部２３の下面２６ｂから突出する長さは、１１ｍｍ程度となる。このような構成によれば、開孔２２に保持した卓球ボール１９を、内側部材１３の底板部１４に適度に接触させて、安定して卓球ボール１９を開孔２２において保持することができる。このような構成は、例えば、卓球ボール１９の表面に印刷を行う場合に、特に有効である。
【００３０】
縦方向に隣り合う開孔２２同士の最短の間隔Ｌ４は、４ｍｍである。横方向に隣り合う開孔２２同士の間隔も同じ長さである。このような間隔であれば、隣り合う開孔２２にそれぞれ卓球ボール１９を保持させた場合にも、隣り合う卓球ボール１９同士が接触することはなく、擦れあうことはない。また、ベース部２３を含む緩衝材２１の剛性も、適度に保つことができる。なお、四隅に位置する開孔２２からベース部２３の一対の長辺２４ａ、２４ｂ、一対の短辺２５ａ、２５ｂまでのそれぞれの最短の長さは、２．５ｍｍとしている。
【００３１】
ベース部２３の一対の長辺２４ａ、２４ｂ側には、ベース部２３の一対の長辺２４ａ、２４ｂに連なって設けられる一対の長辺側ガイド部２７ａ、２７ｂが設けられている。一対の長辺側ガイド部２７ａ、２７ｂは、図４中の矢印Ｄ１で示すベース部２３の厚み方向に延びている。具体的には、一対の長辺側ガイド部２７ａ、２７ｂはそれぞれ、図４中の矢印Ｄ１で示す方向に延びている。一対の長辺２４ａ、２４ｂからの一対の長辺側ガイド部２７ａ、２７ｂのそれぞれの長さＬ５は、共に１１ｍｍである。一対の長辺側ガイド部２７ａ、２７ｂは、一対の長辺２４ａ、２４ｂ側において、包装箱１１内におけるベース部２３の位置をガイドする。
【００３２】
また、ベース部２３の一対の短辺２５ａ、２５ｂ側には、ベース部２３の一対の短辺２５ａ、２５ｂに連なって設けられる一対の短辺側ガイド部２８ａ、２８ｂが設けられている。一対の短辺側ガイド部２８ａ、２８ｂについても、一対の長辺側ガイド部２７ａ、２７ｂと同様に、図４中の矢印Ｄ１で示すベース部２３の厚み方向に延びている。具体的には、一対の短辺側ガイド部２８ａ、２８ｂはそれぞれ、一対の長辺側ガイド部２７ａ、２７ｂと同様に、図４中の矢印Ｄ１で示す方向に延びている。一対の短辺２５ａ、２５ｂからの一対の短辺側ガイド部２８ａ、２８ｂのそれぞれの長さＬ６は、一対の長辺側ガイド部２７ａ、２７ｂと同様に、共に１１ｍｍである。一対の短辺側ガイド部２８ａ、２８ｂについても、一対の短辺２５ａ、２５ｂ側において、包装箱１１内におけるベース部２３の位置をガイドする。
【００３３】
なお、隣り合う一対の長辺側ガイド部２７ａ、２７ｂと一対の短辺側ガイド部２８ａとの間には、それぞれ隙間２９が設けられている。こうすることにより、一対の長辺側ガイド部２７ａ、２７ｂと一対の短辺側ガイド部２８ａ、２８ｂとの干渉を防止することができる。
【００３４】
このような構成の緩衝材２１は、薄板状のベース部２３を備える構成であるため、卓球ボール１９を開孔２２に保持した際に卓球ボール１９とベース部２３との接触面積を小さくして、ベース部２３と卓球ボール１９との輸送時における摩擦を低減することができる。そうすると、静電気を発生させるおそれを大きく低減することができる。また、一対の長辺側ガイド部材２７ａ、２７ｂと一対の短辺側ガイド部材２８ａ、２８ｂによって、包装箱１１の内部において、緩衝材２１の位置を適切に維持することができる。そうすると、開孔２２に安定して卓球ボール１９を保持することができる。また、ベース部２３は薄板状であるため、適度に撓んで、緩衝材２１としての機能を発揮することができる。さらに、このような構成の緩衝材２１は、安価に製造することができる。したがって、このような構成の緩衝材２１は、安価で静電気の発生のおそれを低減することができる。
【００３５】
このような構成の緩衝材２１は、開孔２２を設けた薄板状のベース部２３を備える構成であるため、卓球ボール１９を開孔２２に保持させた際に卓球ボール１９とベース部２３との接触面積を小さくして、卓球ボール１９とベース部２３との間の輸送時における摩擦を低減することができる。そうすると、静電気を発生させるおそれを大きく低減することができる。この場合、ベース部２３は薄板状であり、厚紙で形成されているため、適度に撓んで、緩衝材としての機能を発揮することができる。また、一対の長辺側ガイド部材２７ａ、２７ｂと一対の短辺側ガイド部材２８ａ、２８ｂによって、包装箱１１の内部において、緩衝材２１の位置を適切に維持することができる。そうすると、開孔２２に安定して卓球ボール１９を保持することができる。さらに、このような構成の緩衝材２１は、安価に製造することができる。したがって、このような構成の緩衝材２１は、安価で静電気の発生のおそれを低減することができる。
【００３６】
また、このような構成の包装箱１１によれば、上記した構成の緩衝材２１を含むため、より確実に安定して卓球ボール１９を包装することができる。
【００３７】
なお、緩衝材２１は、一枚の厚紙を折り曲げて形成される。具体的には、所定の形状に打ち抜いたコートボール紙またはコートアイボリー紙を折り曲げて製造されている。用いるコートボール紙またはコートアイボリー紙は、上記した厚みのものが用いられる。
【００３８】
次に、このような構成の緩衝材２１の製造方法について説明する。まず、一枚のコートボール紙またはコートアイボリー紙を準備する。そして、所定の外形形状となるよう、コートボール紙またはコートアイボリー紙を打ち抜く。
【００３９】
図８および図９は、所定の外形形状に打ち抜かれた緩衝材構成部材３１の外形形状を示す図である。図８は、図４における矢印Ｄ１の方向から見た図である。図９は、図４における矢印Ｄ１と逆の方向から見た図である。
【００４０】
図８および図９を参照して、打ち抜かれた緩衝材構成部材３１には、後に矩形状のベース部２３となるベース部対応領域３２、後にそれぞれ一対の長辺側ガイド部２７ａ、２７ｂとなる一対の長辺側ガイド部対応領域３３ａ、３３ｂ、および後にそれぞれ一対の長辺側ガイド部２７ａ、２７ｂとなる一対の長辺側ガイド部対応領域３４ａ、３４ｂが設けられている。なお、ベース部対応領域３２には、１２個の開孔３５が設けられている。また、矩形状のベース部対応領域３２の四隅に位置する角部３６ａ、３６ｂ、３６ｃ、３６ｄは、内方側に丸みを帯びて凹むようＲ面となるよう構成されている。
【００４１】
一対の長辺側ガイド部対応領域３３ａ、３３ｂの長さＬ６は、折り曲げられた際に、隣り合う一対の短辺側ガイド部対応領域３４ａ、３４ｂとの間に上記した隙間２９が形成されるよう、ベース部２３の横方向の長さＬ２よりも若干短く構成されている。同様に、一対の短辺側ガイド部対応領域３４ａ、３４ｂの長さＬ７は、折り曲げられた際に、隣り合う一対の長辺側ガイド部対応領域３３ａ、３３ｂとの間に上記した隙間２９が形成されるよう、ベース部２３の縦方向の長さＬ１よりも若干短く構成されている。
【００４２】
そして、ベース部対応領域３２と、一対の長辺側ガイド部対応領域３３ａ、３３ｂ、および一対の短辺側ガイド部対応領域３４ａ、３４ｂとのそれぞれの境界には、厚み方向に切り欠いた切り欠き３７ａ、３７ｂ、３７ａ、３７ｂが設けられている。切り欠き３７ａ〜３７ｄが設けられる位置は、矩形状のベース部対応領域３２の四辺にそれぞれ相当する位置である。この切り欠き３７ａ〜３７ｄについては、コートボール紙等の上面３８ａ側にのみ設けられ、下面３８ｂには設けられていない。切り欠き３７ａ〜３７ｄは、コートボール紙等の厚みの例えば半分程度に切れ目を入れることにより形成される。
【００４３】
なお、このような緩衝材構成部材３１は、トムソン型抜き加工を用いて、コートボール紙等を打ち抜くことにより形成される。
【００４４】
切り欠き３７ａ〜３７ｄに沿って、一対の長辺側ガイド部対応領域３３ａ、３３ｂ、および一対の短辺側ガイド部対応領域３４ａ、３４ｂをそれぞれ下面３８ｂ側に約９０度折り曲げる。すなわち、切り欠き３７ａ〜３７ｄの部分は、いわゆる折り目となる。このようにして、緩衝材２１は形成される。
【００４５】
このようにして緩衝材２１は形成される。このように構成することにより、より容易に、緩衝材２１を製造することができる。この場合、切り欠き３７ａ〜３７ｄを設けているため、より適切に一対の長辺側ガイド部２７ａ、２７ｂ、および一対の短辺側ガイド部２８ａ、２８ｂを形成することができる。
【００４６】
また、コートボール紙またはコートアイボリー紙を用いることにより、適度な強度を維持しつつ、取り扱い性を向上させて、より確実に緩衝材２１としての機能を発揮することができる。
【００４７】
なお、上記の実施の形態として、厚紙をコートボール紙またはコートアイボリー紙とすることとしたが、これに限らず、厚紙は、板紙、ミルクカートン用紙、画用紙、ケント紙、および段ボールのうちの少なくともいずれか一つを含むようにしてもよい。このように構成することにより、確実に、上記した機能を備える緩衝材２１を製造することができる。
【００４８】
また、上記の実施の形態においては、厚紙の厚みは、０．６５ｍｍ以上０．８０ｍｍ以下であるよう構成してもよい。このような構成によれば、緩衝材２１を製造する際の作業性を向上させると共に、より確実に緩衝材２１としての機能を発揮することができる。
【００４９】
なお、上記の実施の形態においては、開孔２２の直径は、３７ｍｍとしたが、これに限らず、開孔２２の直径は、卓球ボール１９が挿通せず、包装箱１１内で保持できればよい範囲の直径、具体的には、長さＬ３は、３６ｍｍ以上３８ｍｍ以下とすればよい。なお、開孔２２の直径に応じて、長さＬ５、Ｌ６の長さを変更するとよい。具体的には、例えば、長さＬ３を３７ｍｍよりも短くした場合、開孔２２に保持する卓球ボール１９を、内側部材１３の底板部１４に接触させるべく、長さＬ５、Ｌ６の長さを１１ｍｍよりも短くするとよい。
【００５０】
また、上記の実施の形態においては、隣り合う一対の長辺側ガイド部２７ａ、２７ｂと一対の短辺側ガイド部２８ａ、２８ｂとの間には、それぞれ隙間２９が設けられていることとしたが、これに限らず、この隙間２９を設けない構成としてもよい。
【００５１】
なお、上記の実施の形態においては、開孔２２は１２個設けることとしたが、これに限らず、用途や必要に応じて、他の個数、例えば、開孔２２を３個や６個設ける構成としてもよい。
【００５２】
今回開示された実施の形態はすべての点で例示であって、どのような面からも制限的なものではないと理解されるべきである。本考案の範囲は上記した説明ではなく、実用新案登録請求の範囲によって規定され、実用新案登録請求の範囲と均等の範囲、および意味内でのすべての変更が含まれることが意図される。
【産業上の利用可能性】
【００５３】
本考案に係る卓球ボール包装箱用緩衝材、および卓球ボール包装箱は、安価で静電気の発生のおそれを低減することが求められる場合に、特に有利に適用され得る。
【符号の説明】
【００５４】
１１  卓球ボール包装箱、１２  外側部材、１３  内側部材、１４  底板部、１５ａ，１５ｂ，１５ｃ，１５ｄ  側壁部、１６ａ  天面部、１６ｂ  底面部、１７ａ，１７ｂ  側面部、１９  卓球ボール、２１  卓球ボール包装箱用緩衝材、２２，３５  開孔、２３  ベース部、２４ａ，２４ｂ  長辺、２５ａ，２５ｂ  短辺、２６ａ，３８ａ  上面、２６ｂ，３８ｂ  下面、２７ａ，２７ｂ  長辺側ガイド部、２８ａ，２８ｂ  短辺側ガイド部、２９  隙間、３１  緩衝材構成部材、３２  ベース部対応領域、３３ａ，３３ｂ  長辺側ガイド部対応領域、３４ａ，３４ｂ  短辺側ガイド部対応領域、３６ａ，３６ｂ，３６ｃ，３６ｄ  角部、３７，３７ｂ，３７ａ，３７ｂ  切り欠き。
【図１】
0003204033.tif 000003
【図２】
0003204033.tif 000004
【図３】
0003204033.tif 000005
【図４】
0003204033.tif 000006
【図５】
0003204033.tif 000007
【図６】
0003204033.tif 000008
【図７】
0003204033.tif 000009
【図８】
0003204033.tif 000010
【図９】
0003204033.tif 000011